(57)【要約】      （修正有）【課題】ゴム板を覆うように配された布地が壁紙を圧着して空気を押し出した時に壁紙に傷をつけない壁紙の作業工具を提供する。【解決手段】ほぼ半楕円形の基板１で、基板１より延設して台部２を形成し、ゴム板３を台部２の長手方向に設けたゴム装着部４に嵌合する。ゴム板３は台部２からゴム板３の先端にかけて細くなるように形成しており、長方形で厚みのある化学繊維の布地５でゴム板３を密着状態に覆い被せて、布地４の幅方向の両端部を台部２に面ファスナー６で着脱自在に取り付けて、壁紙を圧着して空気を押し出した時に壁紙に傷をつけないようにした。【選択図】図２
0003227614.tif 000002
【実用新案登録請求の範囲】
【請求項１】
板状でほぼ半楕円形の基板と前記基板より延設された台部の長手方向にゴム板を配設して、前記ゴム板を覆うように配された布地が前記基板に着脱自在に取り付けたことを特徴とする壁紙の作業工具。
【請求項２】
前記台部に配設されたゴム板は台部からゴム板の先端にかけて肉厚が細くなるように形成されたことを特徴とする請求項１に記載の壁紙の作業工具。
【請求項３】
前記布地が化学繊維で形成されたことを特徴とする請求項１に記載の壁紙の作業工具。
【考案の詳細な説明】
【技術分野】
【０００１】  本考案は、壁紙を壁に貼つた後、空気やシワを逃がすように撫でるのに使用する壁紙の作業工具で台部の長手方向にゴム板を配して布地で覆った、壁紙の作業工具に関するものである。
【背景技術】
【０００２】  従来は壁紙を壁に貼つた後、空気やシワを逃がす施工の技術としては、刷毛の付いた撫でブラシで、壁紙を圧着しながら壁紙の外側に向かってしっかりと空気を押し出していた。
【先行技術文献】
【０００３】
【特許文献】
【特許文献】実登３２１９７６５号公報
【考案の概要】
【考案が解決しようとする課題】
【０００４】  従来、壁紙を貼った時に空気が入っていると、壁紙が浮き上がってきたり、見た目も悪くなり壁紙に傷が付きやすくなるので、刷毛の付いた撫でブラシで、壁紙を圧着しながら壁紙の外側に向かってしっかりと空気を押し出します。壁紙の質が少し硬い場合は撫でブラシの刷毛の部分が少し硬めの刷毛を使用して空気を抜いていたし、壁紙の質が少し軟らかいい場合は撫でブラシの刷毛の部分が少し軟らかい刷毛を使用しており、状況により使い分けしていた。しかし壁紙を圧着しながら壁紙の外側に向かってしっかりと空気を押し出す際に、力の入れ具合を間違えると繊細な壁紙に刷毛の筋目等の傷をつけてしまう事が多々あった。また、撫でブラシは刷毛の傷みや消耗が激しく、刷毛に糊や接着剤等が付着したりする場合があるので、撫でブラシを数本持参して施工作業にあたっていた。従って、撫でブラシの刷毛の部分に代わってゴム板を配し、ゴム板を布地で覆った壁紙の作業工具で前述の欠点を解決しようとするものである。
【課題を解決するための手段】
【０００５】  上記問題を達成するためには、板状でほぼ半楕円形の基板と前記基板より延設された台部の長手方向に設けたゴム装着部にゴム板を嵌合し配設する。また台部に配設されたゴム板は台部からゴム板の先端にかけて肉厚が細くなるように形成し、前記ゴム板を覆うように配された化学繊維で厚みのある布地が前記基板に着脱自在に取り外しができるようにして問題を解決したものである。
【考案の効果】
【０００６】  従来は、刷毛の付いた撫でブラシで、壁紙を圧着しながら壁紙の外側に向かってしっかりと空気を押し出して、壁紙の質が少し硬い場合は撫でブラシの刷毛の部分が少し硬めの刷毛を、壁紙の質が少し軟らかいい場合は撫でブラシの刷毛の部分が少し軟らかい刷毛を使用しており、繊細な壁紙に刷毛の筋目等の傷をつけてしまうので状況により使い分けしていた。しかしながら、本考案の壁紙の作業工具は台部の長手方向にゴム板を配設して、台部に配設されたゴム板は台部からゴム板の先端にかけて肉厚が細くなるように形成し、前記ゴム板を覆うように配された化学繊維で厚みのある布地で密着状態に覆っているので、壁紙を圧着しながら壁紙の外側に向かってしっかりと空気を押し出す際に、壁紙の質が硬質、軟質に関わらずに、化学繊維で厚みのある布地が壁紙を圧着しながら壁紙の外側に向かってしっかりと空気を押し出しているので、繊細な壁紙に刷毛の筋目等の傷をつけてしまう事がない。したがって壁紙の質により撫でブラシの刷毛の部分が少し硬め、柔らかめの刷毛とを使い分けしなくとも良いので作業効率が上がる。【０００７】また、本考案の壁紙の作業工具は台部の長手方向にゴム板を配設して、台部に配設されたゴム板は台部からゴム板の先端にかけて肉厚が細くなるように形成されているので、壁紙を圧着しながら壁紙の外側に向かってしっかりと空気を押し出す時、ゴム板の先端にかけて刷毛の様にしなやかになり、ゴム板を覆うように配された化学繊維で厚みのある布地で密着状態に覆っているので力の入れ加減を気にせずに壁紙を圧着しながら壁紙の外側に向かってしっかりと空気を押り出しても、化学繊維で厚みのある布地が壁紙を撫でるように圧着するので、壁紙を傷つける事はないので熟練者でなくとも本考案の壁紙の作業工具を使いこなせる事が出来る。【０００８】  そして、従来の撫でブラシは刷毛の傷みや消耗で買い替えたり、刷毛に糊や接着剤等が付着したりするので、撫でブラシを数本持参して施工作業にあたっていたが、本考案の壁紙の作業工具はゴム板を密着状態に覆い被せるように配された化学繊維で厚みのある布地が、基板に着脱自在に取り外しができるように形成されているので、布地に糊や接着剤等が付着した場合にも布地を容易に着脱で出来る。さらにゴム板は化学繊維で厚みのある布地で覆われているのでゴム板は消耗しないので、本考案の作業工具であれば本体を買い替えずとも布地の清掃や布地の交換で済むので撫でブラシに比べて経費の軽減になる。
【図面の簡単な説明】
【０００９】
【図１】  本考案の一部欠損正面図
【図２】  本考案の拡大断面図
【考案を実施するための形態】
【００１０】  本考案は、板状でほぼ半楕円形の基板と前記基板より延設された台部の長手方向にゴム板を配設して、台部に配設されたゴム板は台部からゴム板の先端にかけて肉厚が細くなるように形成し、前記ゴム板を覆い被せるように配された化学繊維で厚みのある布地が前記基板に着脱自在に取り外しができるようにしている。以下、添付図面に従って一実施例を説明する。
【実施例】
【００１１】  図１及び図２は本考案の取付状態を示す一部欠損正面図と一部欠損断面図である。
１はほぼ半楕円形の基板で、基板１より延設して台部２を形成しており、木製もしくは合成樹脂等の素材にて一体化形成されている。３はゴム板であって、台部２の長手方向に設けたゴム装着部４に嵌合して接着剤等で固着し、ゴム板３は台部２からゴム板３の先端にかけて細くなるように形成している。５は長方形で厚みのある化学繊維の布地で、ゴム板を密着状態に覆い被せて、布地５の幅方向の両端部を台部２の両側部にマジックテープ６で着脱自在に取り付けている。【００１２】  本考案は以上の構成であるから、壁紙の空気を抜きたい時は、本考案の壁紙の作業工具のほぼ半楕円形の基板１を壁に向かって布地５の先端を垂直に当て、壁紙を圧着しながら壁紙の外側に向かってしっかりと空気を押し出すと、台部２に配設されたゴム板３は台部２からゴム板３の先端にかけて肉厚が細くなるように形成されているので、ゴム板３の先端にかけて刷毛の様にしなやかになり、ゴム板３を密着状態に覆い被せるように配された布地５は、化学繊維で厚みのある布地５で覆ったているので力の入れ加減を気にせずに壁紙を圧着しながら壁紙の外側に向かってしっかりと空気を押り出せる。また化学繊維で厚みのある布地５が壁紙を撫でるように圧着するので、壁紙を傷つけることもない。そしてゴム板３は化学繊維で厚みのある布地５で覆われているのでゴム板３は消耗しない。さらに布地５は、基板１に着脱自在にマジックテープ６で取り外しが容易にできるように形成されているので布地５が汚れた場合等にも布地５を容易に着脱で出来る
産業上の利用可能性【００１３】  本考案は、内装工事の壁紙の施工をする産業で利用される。
【符号の説明】
【００１４】１  基板
２  台部
３  ゴム板
４  ゴム装着部
５  布地
６  マジックテープ
【図１】
0003227614.tif 000003
【図２】
0003227614.tif 000004
【手続補正書】
【提出日】令和2年4月30日(2020.4.30)
【手続補正１】
【補正対象書類名】実用新案登録請求の範囲
【補正対象項目名】請求項１
【補正方法】変更
【補正の内容】
【請求項１】
板状でほぼ半楕円形の基板と前記基板より延設された台部の長手方向にゴム板を配設して前記ゴム板を覆うように布地の幅方向の両端部を台部の両側部に面ファスナーで着脱自在に取り付けたことを特徴とする壁紙の作業工具。